(57)【要約】      （修正有）【課題】遊技台とカウンターとの狭い間隙に設けられる薄型でスライド式の遊技台用テーブル装置を提供する。【解決手段】遊技台２と遊技台を載置するカウンター３との間隙に設けられる遊技台用テーブル装置１であって、前後方向にスライド可能に設けられた板状のテーブル本体４と、テーブル本体の左右方向への移動を制限する横板５と、テーブル本体の上方向への移動を制限する上板６と、テーブル本体の前方向への移動を停止させる固定板７を備え、テーブル本体には固定板に当接する当接面１１と、テーブル本体の後方への移動を停止させる折曲部と、テーブル本体をスライドさせる際に把持する把持部８が設けられている。【選択図】図１
0003198068.tif 000002
【実用新案登録請求の範囲】
【請求項１】
遊技台と前記遊技台を載置するカウンターとの間隙に設けられる遊技台用テーブル装置であって、
前後方向にスライド可能に設けられた板状のテーブル本体と、
前記テーブル本体の左右方向への移動を制限する第１制限部と、
前記テーブル本体の上方向への移動を制限する第２制限部と、
前記テーブル本体の前方向への移動を停止させる第１停止部を備え、
前記テーブル本体には前記第１停止部に当接する当接部と、前記テーブル本体の後方への移動を停止させる第２停止部と、前記テーブル本体をスライドさせる際に把持する把持部が設けられたことを特徴とする遊技台用テーブル装置。
【請求項２】
前記テーブル本体が矩形の後板部と前記後板部よりも幅狭であって矩形の前板部からなり、
前記後板部が前記第１制限部と摺動可能に当接し、
前記後板部の前端が前記当接部であり、
前記第１制限部が前後に隣接した前横板と後横板からなり、
前記第１制限部と前記第２制限部と前記第１停止部が板状部材からなることを特徴とする請求項１記載の遊技台用テーブル装置。
【請求項３】
前記第１停止部が前記前板部の左右両側に設けられ、
前記第２制限部が前記左右の第１停止部の上面に設けられ、
前記第２制限部と前記第１停止部は、前記左右の第２制限部の間隔が前記左右の第１停止部の間隔よりも狭くなるように配置されていることを特徴とする請求項２に記載の遊技台用テーブル装置。
【請求項４】
前記左右の第１停止部の間隔が前記後板部の左右方向の幅よりも狭く、前記前板部の左右方向の幅よりも広く形成され、
前記左右の第２制限部の間隔が前記前板部の左右方向の幅よりも狭く形成されていることを特徴とする請求項３に記載の遊技台用テーブル装置。
【請求項５】
前記第２停止部が前記前板部の前側部分を下方に略直角に折り曲げて形成され、
前記第２停止部の前面に前記把持部を設けたことを特徴とする請求項２〜４の何れか１項に記載の遊技台用テーブル装置。
【請求項６】
前記テーブル本体の板厚が１．２〜２．０ｍｍ、前記前横板の板厚が１．５〜３．２ｍｍ、前記後横板の板厚が２．５〜４．２ｍｍ、前記第１停止部の板厚が１．５〜３．２ｍｍ、前記第２制限部の板厚が１．４〜１．６ｍｍ、前記当接部の横幅が５．０〜１０．０ｍｍであって、前記前横板の板厚及び前記第１停止部の板厚が前記テーブル本体の板厚よりも大きく形成され、前記前横板の上面と前記後横板の上面とが面一に形成されたことを特徴とする請求項２〜５の何れか１項に記載の遊技台用テーブル装置。
【考案の詳細な説明】
【技術分野】
【０００１】
本考案は、パチスロのメダルスコップ等を載置する遊技台のテーブル装置に関する。
【背景技術】
【０００２】
従来、この種の遊技台用テーブル装置として、遊技台を載置するカウンターの下面に設けられ、前記カウンターの下面に固定する保持体と、この保持体の上面に沿って前後方向スライド可能に設けられ前記カウンターの前部から出没する板状のテーブル本体とを備え、前記保持体は前記テーブル本体が摺動して前後方向にスライドするスライド受け部と、このスライド受け部の左右にそれぞれ設けられた左右の上向き段部と、これら左右の上向き段部の上端からそれぞれ左右外側に設けられ前記カウンターの下面に固定する左右の固定部を備えたものが提案されている（例えば、特許文献１）。
【０００３】
このような遊技台用テーブル装置のテーブル本体は、主に、遊技者が遊技台の受皿からメダル等を収容容器に移す際に収容容器を載置するために使用されるものである。通常、メダルを収容するメダル収容容器には１０００〜２０００枚程度のメダルが収容可能であり、１枚のメダル重量が例えば５ｇ程度とすると、メダル収容後のメダル収容容器の重量は約５〜１０ｋｇとなる。したがって、テーブル本体は１０ｋｇ程度の荷重を受けても水平を保つだけの強度が必要となるため、テーブル本体は一定以上の板厚に形成される。
【０００４】
また従来、遊技者は遊技終了後獲得したメダルの数を計測するために、メダル収容容器にメダルを収容して、遊技店内に１台又は数台（例えば、３〜４台）設置されたメダル計数機までメダルを運び、そのメダルをメダル計数機に投入するため、メダル収容容器は上述のとおり１０００〜２０００枚程度の大量のメダルを収納可能となっていた。しかしながら、近年、メダル計数機が各遊技台に隣接して遊技台毎に設けられようになっており、このような場合には、遊技者は複数回に分けて少量ずつメダルをメダル計数機に投入可能なため、メダルを離れた場所まで運ぶ必要がなく、大容量のメダル収容容器が不要となっている。
【０００５】
そのため、メダル収容容器は、遊技台に隣接したメダル計数機にメダルを投入し易いようにメダルスコップのように小型化され（例えば、メダル収容枚数が２００〜３００枚程度）、メダル収容容器の重量はメダルを収容した状態であっても２ｋｇ程度となっている。そうすると、従来のテーブル本体のような、強度と板厚は要求されず、より板厚の薄いテーブル本体であってもよい。
【先行技術文献】
【特許文献】
【０００６】
【特許文献１】実用新案登録第３１７１５３４号公報
【考案の概要】
【考案が解決しようとする課題】
【０００７】
通常、この種の遊技台はカウンター上に複数台が一列に載置されており、カウンターに設けられた複数の灰皿とこれらの灰皿に連通した吸殻回収装置がカウンターの下面に設置されている。この吸殻回収装置は、吸殻回収路たる吸殻搬送レールと吸殻搬送レール内に備えられたスクリューシャフトと、スクリューシャフトに回転力を与える駆動部と、スクリューシャフトによって搬送された吸殻を回収する回収箱等を備えており、カウンター下方のスペースは吸殻回収装置によって使用される。したがって、特許文献１の遊技台用テーブル装置のように、テーブル装置をカウンターの下面に設ける場合には、設置スペースに制約を受けることがあり、また、テーブル装置の取付けや交換作業時に吸殻回収装置を一度取り外す必要が生じる場合もある。そのため、遊技台用テーブル装置の取付け作業が煩雑となり作業時間も長くかかってしまうという問題があった。
【０００８】
本考案は、メダル収容容器が小型化されていることを踏まえつつ、上記の問題点を解決する、非常に狭いスペースであっても取り付けることができ、取付け及び取外し作業が容易な遊技台用テーブル装置を提供することを目的とする。
【課題を解決するための手段】
【０００９】
本考案の請求項１に記載の遊技台用テーブル装置は、遊技台と前記遊技台を載置するカウンターとの間隙に設けられる遊技台用テーブル装置であって、前後方向にスライド可能に設けられた板状のテーブル本体と、前記テーブル本体の左右方向への移動を制限する第１制限部と、前記テーブル本体の上方向への移動を制限する第２制限部と、前記テーブル本体の前方向への移動を停止させる第１停止部を備え、前記テーブル本体には前記第１停止部に当接する当接部と、前記テーブル本体の後方への移動を停止させる第２停止部と、前記テーブル本体をスライドさせる際に把持する把持部が設けられたことを特徴とする。
【００１０】
また、本考案の請求項２に記載の遊技台用テーブル装置は、前記テーブル本体が矩形の後板部と前記後板部よりも幅狭であって矩形の前板部からなり、前記後板部が前記第１制限部と摺動可能に当接し、前記後板部の前端が前記当接部であり、前記第１制限部が前後に隣接した前横板と後横板からなり、前記第１制限部と前記第２制限部と前記第１停止部が板状部材からなることを特徴とする。
【００１１】
また、本考案の請求項３に記載の遊技台用テーブル装置は、前記第１停止部が前記前板部の左右両側に設けられ、前記第２制限部が前記左右の第１停止部の上面に設けられ、前記第２制限部と前記第１停止部は、前記左右の第２制限部の間隔が前記左右の第１停止部の間隔よりも狭くなるように配置されていることを特徴とする。
【００１２】
また、本考案の請求項４に記載の遊技台用テーブル装置は、前記左右の第１停止部の間隔が前記後板部の左右方向の幅よりも狭く、前記前板部の左右方向の幅よりも広く形成され、前記左右の第２制限部の間隔が前記前板部の左右方向の幅よりも狭く形成されていることを特徴とする。
【００１３】
また、本考案の請求項５に記載の遊技台用テーブル装置は、前記第２停止部が前記側板部の前側部分を下方に略直角に折り曲げて形成され、前記第２停止部の前側面に前記把持部を設けたことを特徴とする。
【００１４】
また、本考案の請求項６に記載の遊技台用テーブル装置は、前記テーブル本体の板厚が１．２〜２．０ｍｍ、前記前横板の板厚が１．５〜３．２ｍｍ、前記後横板の板厚が２．５〜４．２ｍｍ、前記第１停止部の板厚が１．５〜３．２ｍｍ、前記第２制限部の板厚が１．４〜１．６ｍｍ、前記当接部の横幅が５．０〜１０．０ｍｍであって、前記前横板の板厚及び前記第１停止部の板厚が前記テーブル本体の板厚よりも大きく形成され、前記前横板の上面と前記後横板の上面とが面一に形成されたことを特徴とする。
【考案の効果】
【００１５】
請求項１の考案によれば、遊技台とカウンターとの非常に狭いスペースに取付け及び取外し作業が容易な遊技台用テーブル装置を提供することができる。
【００１６】
請求項２の考案によれば、遊技台用テーブル装置を薄型化すると共に、テーブル本体を摺動させる際に左右方向のがたつきを防止することができる。
【００１７】
請求項３の考案によれば、テーブル本体の上方向への移動範囲を設定することができる。
【００１８】
請求項４の考案によれば、テーブル本体の前方及び上方への移動範囲を設定することができる。
【００１９】
請求項５の考案によれば、テーブル本体の収納時の位置を設定することができる。
【００２０】
請求項６の考案によれば、遊技台を設置している遊技店において、既存のカウンターに取り付け可能な遊技台用テーブル装置を提供することができる。
【図面の簡単な説明】
【００２１】
【図１】本考案の実施例１を示す斜視図である。
【図２】同、平面図である。
【図３】同、図１のＡ−Ａ線断面図である。
【図４】同、図１のＢ−Ｂ線断面図である。
【考案を実施するための形態】
【００２２】
以下、本考案の第１実施例について、添付図１〜４を参照して説明する。以下に説明する実施例は、実用新案登録請求の範囲に記載された本考案の内容を限定するものではない。また、以下に説明される構成の全てが、本考案の必須要件であるとは限らない。
【実施例１】
【００２３】
図１において、本実施例の遊技台用テーブル装置１は、メダルを用いたパチスロ等の遊技台２の遊技者が使用するものであって、遊技台２が載置される木製のカウンター３の上面に設けられる。遊技台２は、遊技台用テーブル装置１を取り付けた後にカウンター３上に載置され固定される。
【００２４】
遊技台用テーブル装置１は、前後方向に摺動するテーブル本体４と、テーブル本体４の左右方向の移動を制限する第１制限部としての横板５と、テーブル本体４の上方向への移動を制限する第２制限部としての上板６と、上板６を固定する第１停止部としての固定板７と、テーブル本体４を摺動させる際に把持する把持部８から構成されている。
【００２５】
カウンター３の前方側表面は、ステンレス鋼等の金属により形成された薄板状の表面部材９により覆われている。なお、本実施例において、表面部材９の板厚は１．０〜１．２ｍｍに形成されている。
【００２６】
テーブル本体４は、ステンレス鋼等の金属により薄板状に形成されており、平面視矩形に形成された前板部４Ａと前板部４Ａよりも幅広であって平面視矩形に形成された後板部４Ｂとが一体となっている。テーブル本体４は、磁性を有するステンレス鋼によって形成し、底面に磁石が配設されたメダル収容容器（図示せず）と組み合わせて使用することにより、メダル収容容器の落下を防止できるという利点がある。なお、本実施例において、テーブル本体４の板厚は１．５ｍｍ、前板部４Ａの横幅は１４０ｍｍ、後板部４Ｂの横幅は１６０ｍｍに形成されている。
図３に示すとおり、前板部４Ａの前側には下方に向かって略直角に折り曲げた第４の制限部としての折曲部１０が形成されており、この折曲部１０にテーブル本体４を前後に摺動させる際に把持する把持部８が固定されている。
【００２７】
後板部４Ｂの前側の面である当接面１１は、テーブル本体４を前方に摺動させていくと固定板７の後側の面である受面１２に当接する。そのため、当接面１１が受面１２に当接した位置が、テーブル本体４が前方向へ最も突出した位置となる。なお、当接面１１の横幅は、左右それぞれ５．０ｍｍに形成されている。
【００２８】
横板５は、ステンレス鋼等の金属により平面視矩形の薄板状に形成されている。横板５は前後に隣接した前側の前横板５Ａと後側の後横板５Ｂから構成されている。この横板５は、テーブル本体４の左右両側に配設され、前横板５Ａは表面部材９の上面に複数の螺子１３によってカウンター３及び表面部材９に固定され、後横板５Ｂは表面部材９に覆われていないカウンター３の上面に複数の螺子１４によって固定されている。前横板５Ａと後横板５Ｂは固定された状態でそれぞれの上面が面一となっており、遊技台２を傾くことなく載置できるようになっている。左右の横板５の内側の面である内側面１５は、テーブル本体４の後板部４Ｂの左右側面１６にテーブル本体４が摺動可能に当接している。これにより、テーブル本体４を前後に摺動させる際にテーブル本体４が左右にがたつくことを防止することができる。
【００２９】
後横板５Ｂの後側の面である横板後端面１７は、テーブル本体４が完全に収納された状態の位置にあるときに後板部４Ｂの後側の面である後端面１８よりも後方へ突出している。また、前横板５Ａの前側の面である前端面１９は固定板７に近接する位置に配置されている。なお、前端面１９は固定板７に当接するように配置されてもよい。本実施例において、前横板５Ａの板厚は２．０ｍｍ、後横板５Ｂの板厚は３．２ｍｍに形成されている。前横板５Ａの板厚と表面部材９の板厚の合計は、テーブル本体４の板厚よりも大きく形成され、後横板５Ｂの板厚はテーブル本体４の板厚よりも大きく形成される。これにより、遊技台２を載置した場合に遊技台２の底面によりテーブル本体４が下方に押されて、テーブル本体４の摺動が阻害されることを防止できる。
【００３０】
上板６は、ステンレス鋼等の金属により平面視矩形の薄板状に形成されている。この上板６は、左右の固定板７の上面に溶接により固定されている。また、左右の上板６の間隔は、左右の固定板７の間隔及び前板部４Ａの横幅よりも狭くなるように配設されている。これにより、テーブル本体４を上方に持ち上げた場合に、テーブル本体４の上面が固定板７の下面に当接し、テーブル本体４の上方への移動を制限することができる。なお、本実施例において、上板６の板厚は１．５ｍｍに形成されている。
【００３１】
固定板７は、ステンレス鋼等の金属により平面視矩形の薄板状に形成されている。この固定板７は、テーブル本体４を構成する前板部４Ａの左右両側に配置されている。また、固定板７は表面部材９に覆われたカウンター３の前側端に近接して配置され、複数の螺子２０によりカウンター３及び表面部材９に固定されている。なお、本実施例において、固定板７の板厚は２．０ｍｍに形成されている。テーブル本体４が摺動するために、固定板７の板厚はテーブル本体４の板厚よりも大きく形成される。
【００３２】
左右の固定板７の間隔は、前板部４Ａの横幅よりも広く、後板部４Ｂの横幅よりも狭く形成されている。これにより、テーブル本体４を摺動させる際に前板部４Ａは固定板７に接触せず、後板部４Ｂの当接面１１が固定板７の受面１２に当接するようになっている。なお、固定板７の前後方向の幅は上板６の前後方向の幅と略等しい長さに形成されている。
【００３３】
図３に示すとおり、把持部８は、前板部４Ａの前側を下方に略直角に折り曲げた折曲部１０の前側の面である表折曲面２１に固定されている。この把持部８は合成樹脂で形成され、両端が半円状の細板形状を有する。把持部８の上面はテーブル本体４の上面よりも上方に突出しており、テーブル本体４に載置したメダル収容容器等（図示せず）がテーブル本体４から落下し難くなっている。また、把持部８の横幅は前横板４Ａの横幅よりも広く形成されている。なお、把持部８の素材や形状は適宜変更可能である。
【００３４】
テーブル本体４を後方へ移動させると、折曲部１０の後側の面である裏折曲面２２がカウンター３の前側の面を覆う表面部材９に当接し、テーブル本体４がそれ以上後方へ移動することを制限する。
【００３５】
以上のように、本実施例のテーブル本体４、横板５、上板６及び固定板７は全て板状部材で形成されているため、遊技台用テーブル装置１は各部品の加工が容易であり、構成が簡易となっている。また、遊技台用テーブル装置１をカウンター３に取り付ける作業も、横板５及び固定板７のネジ止め、上板６と固定板７の溶接といった非常に簡易な作業となっている。当然、遊技台用テーブル装置１の取り外し作業も容易であり、遊技店にある多数の遊技台に取り付ける場合に、従来の遊技台用テーブル装置１と比較して着脱の作業時間と手間を大幅に削減することができる。
【００３６】
ここで、遊技台用テーブル装置１の使用方法について説明する。使用者は、遊技台２の受皿２３に蓄積したメダル（図示せず）をメダル収容容器（図示せず）に移す場合等、テーブル本体４に物を載置する必要があるときに把持部８を把持してテーブル本体４を手前に適当な分だけ引き出して使用する。また、テーブル本体４を使用する必要がないときには、テーブル本体４が遊技の邪魔にならないように、把持部８を奥へ押し、テーブル本体４を収納する。図１，３は、テーブル本体４が収納された状態を示しており、図２はテーブル本体４が完全に引き出された状態を示している。
【００３７】
このように本実施例では、遊技台２と前記遊技台２を載置するカウンター３との間隙に設けられる遊技台用テーブル装置１であって、前後方向にスライド可能に設けられた板状のテーブル本体４と、前記テーブル本体４の左右方向への移動を制限する第１制限部としての横板５と、前記テーブル本体４の上方向への移動を制限する第２制限部としての上板６と、前記テーブル本体４の前方向への移動を停止させる第１停止部としての固定板７を備え、前記テーブル本体４には前記固定板７に当接する当接部としての当接面１１と、前記テーブル本体４の後方への移動を停止させる第２停止部としての折曲部１０と、前記テーブル本体４をスライドさせる際に把持する把持部８が設けられたことにより、遊技台２とカウンター３との狭い間隙に設けられる薄型でスライド式の遊技台用テーブル装置１を提供することができる。また、横板５と、上板６と、固定板７と、折曲部１０を備えているため、テーブル本体４の前後左右及び上方への移動を制限し、がたつくことなくテーブル本体４を摺動させることができる。
【００３８】
また、このように本実施例では、前記テーブル本体４が矩形の後板部４Ｂと前記後板部４Ｂよりも幅狭であって矩形の前板部４Ａからなり、前記後板部４Ｂが前記横板５と摺動可能に当接し、前記後板部４Ｂの前端が前記当接面１１であり、前記横板５が前後に隣接した前横板５Ａと後横板５Ｂからなり、前記横板５と前記上板６と前記固定板７が板状部材からなることにより、テーブル本体４の前方向への移動を簡易な構造で制限できると共に、薄型化された遊技台用テーブル装置１を提供することができる。
【００３９】
また、このように本実施例では、前記固定板７が前記前板部４Ａの左右両側に設けられ、前記上板６が前記左右の固定板７の上面に設けられ、前記上板６と前記固定板７は、前記左右の上板６の間隔が前記左右の固定板７の間隔よりも狭くなるように配置されていることにより、テーブル本体４の上方向への移動範囲を固定板７の厚みの範囲内とすることができる。
【００４０】
また、このように本実施例では、前記左右の固定板７の間隔が前記後板部４Ｂの左右方向の幅よりも狭く、前記前板部４Ａの左右方向の幅よりも広く形成され、前記左右の上板６の間隔が前記前板部４Ａの左右方向の幅よりも狭く形成されていることにより、簡易な構造で当接面１１を固定板７に確実に当接させることができる。
【００４１】
また、このように本実施例では、前記折曲部１０が前記前板部４Ａの前側部分を下方に略直角に折り曲げて形成され、前記折曲部１０の前面としての表折曲面２１に前記把持部８を設けたことにより、簡易な構造でテーブル本体４の後方向への移動を制限することができると共に、使用者が把持し易い位置に把持部８を容易に固定することができる。
【００４２】
また、このように本実施例では、前記テーブル本体４の板厚が１．２〜２．０ｍｍ、前記前横板５Ａの板厚が１．５〜３．２ｍｍ、前記後横板５Ｂの板厚が２．５〜４．２ｍｍ、前記固定板７の板厚が１．５〜３．２ｍｍ、前記上板６の板厚が１．４〜１．６ｍｍ、前記当接面１１の横幅が５．０〜１０．０ｍｍであって、前記前横板５Ａの板厚及び前記固定板７の板厚が前記テーブル本体４の板厚よりも大きく形成され、前記前横板５Ａの上面と前記後横板５Ｂの上面とが面一に形成されたことにより、遊技台２を設置している遊技店に設けられている既存のカウンター３に遊技台用テーブル装置１を取り付けることができる。すなわち、多くの遊技店ではカウンター３に遊技台２を載置した状態で、遊技台２とカウンター３の天井（図示せず）との間には３．５〜５．０ｍｍ程度の隙間があり、遊技台２とカウンター３の表面部材９に覆われていない部分には板厚が２．５〜４．２ｍｍの後横板５Ｂを配設することができる。また、遊技台２の前側には受皿２３が設けられており、この受皿２３の底面とカウンター３との間隔は５．０ｃｍ以上あるため、表面部材９の上面に上板６と固定板７を重ねて配設することができる。
【００４３】
なお、本考案は上記実施形態に限定されるものではなく、本考案の要旨の範囲内において、種々の変形実施が可能である。例えば、各遊技店に設けられるカウンターの高さや機種毎に異なる遊技台の高さによって、遊技台とカウンターとの間隙の寸法が様々存在する場合には、その間隙の寸法に合わせて各部材の板厚を変更してもよい。また、パチスロ機に限られず、パチンコ台等の各種遊技台にも使用可能である。さらに、テーブル本体には、携帯電話、飲料用のペットボトル、煙草の箱、鍵等、使用者の所持品を載置してもよい。
【符号の説明】
【００４４】
１  遊技台用テーブル装置
２  遊技台
３  カウンター
４  テーブル本体
４Ａ  前板部
４Ｂ  後板部
５  横板（第１制限部）
５Ａ  前横板
５Ｂ  後横板
６  上板（第２制限部）
７  固定板（第１停止部）
８  把持部
１０  折曲部（第２停止部）
１１  当接面（当接部）
２１  表折曲面（前面）
【図１】
0003198068.tif 000003
【図２】
0003198068.tif 000004
【図３】
0003198068.tif 000005
【図４】
0003198068.tif 000006